(57)【要約】 【課題】上層建枠の建込み後においても下層建枠の角部に設置し得るとともに、係留具の構成部品等の落下、紛失、損失等を確実に防止することができる梁枠受け具を提供する。【解決手段】梁枠受け具(1)は、左右の梁枠支受アーム(2,3)と、左右のアームを相互連結する上下の連結部(4,5)及びアーム係留具(6)とを有し、梁枠(B)の荷重を建枠(F)に伝達するように建枠の角部に配置される。連結部は、第１及び第２連結部からなり、第１連結部(4)は、左右のアームの上部を相互連結し、第２連結部は、第１連結部(5)の下方で左右のアームを解放可能に相互連結する。梁枠の鉛直荷重は、第１連結部を介して建枠の腕木部分(D)に載荷される。アーム部の曲げ荷重が作用する第２連結部は、建枠の建地部分(C)に支承される。第２連結部及びアーム係留具の解放により、建枠の建地部分及び腕木部分を挿入可能な下方解放領域(7)が梁枠受け具に形成される。【選択図】図１
2015148098.tif 000002
【特許請求の範囲】
【請求項１】
枠組足場の梁枠を支持する左右の梁枠支受アームと、左右の梁枠支受アームを相互連結する上下の連結部と、建枠の建地部分を仮設通路側から囲み且つ左右の梁枠支受アームを相互連結するアーム係留具とを有し、梁枠の荷重を建枠に伝達するように建枠の角部に配置される梁枠受け具において、
前記連結部は、左右の梁枠支受アームの上部を相互連結するとともに、建枠の腕木部分に支承される第１連結部と、第１連結部の下方で前記アームを相互連結するとともに、建枠の建地部分に支承される第２連結部とを有し、
前記第２連結部は、左右の梁枠支受アームの連結を解放し、建枠の建地部分及び腕木部分を前記アームの間の領域に挿入可能な下方解放領域を形成する連結解放手段を有することを特徴とする梁枠受け具。
【請求項２】
前記係留具は、軸線方向に移動可能に各々の梁枠支受アームに挿通される左右のロッド部材と、左右のロッド部材を解放可能に架橋する架橋部材とから構成され、前記ロッド部材は、該ロッド部材が前記アームから脱落するのを防止する脱落防止手段を有することを特徴とする請求項１に記載の梁枠受け具。
【請求項３】
前記架橋部材は、一方のロッド部材の外端部に連結された基端部と、前記梁枠受け具を前記建枠の角部に設置した後に他方のロッド部材の外端部に連結される先端部とを有し、前記ロッド部材及び架橋部材は、前記ロッド部材の外端部と前記架橋部材の先端部との連結により、建枠の建地部分を仮設通路側から囲むＵ形連結具として機能することを特徴とする請求項２に記載の梁枠受け具。
【請求項４】
前記第２連結部は、片側の梁枠支受アームに回動可能に支持された可動支承板からなり、該可動支承板は、水平位置において左右のアームを架橋し、前記梁枠の荷重により前記建枠の建地部分に押圧され、該建地部分の水平反力により支承されることを特徴とする請求項１乃至３のいずれか１項に記載の梁枠受け具。
【請求項５】
前記第２連結部は、前記可動支承板を水平位置に保持する位置決め手段を有することを特徴とする請求項４に記載の梁枠受け具。
【請求項６】
前記第１連結部は、円形断面の鋼材又は金属製棒材をＵ形に成形又は曲げ加工してなる連結材を有し、該連結材は、前記腕木部分に着座することを特徴とする請求項１乃至５に記載の梁枠受け具。
【発明の詳細な説明】
【技術分野】
【０００１】
本発明は、梁枠受け具に関するものであり、より詳細には、枠組足場の梁枠を建枠の角部に支持するための梁枠受け具に関するものである。
【背景技術】
【０００２】
建築物、土木構造物、大規模設備等の建設工事に使用される仮設足場として、枠組足場、単管足場及び楔緊結式足場等の各種形式の仮設足場が知られている。枠組足場は、建枠を建込み、床付き布枠を作業用足場板として建枠の各層に架設することにより建設中の建物等の外側に構築され、建設工事の完了直前の適切な時期に解体される。
【０００３】
一般に、枠組足場の特定部位において車両通路、資材搬入路等を確保する場合、下層部分又は地上部分の建枠が数スパンの範囲に亘って省略され又は撤去される。このような開口部には、上層の建枠等の荷重を支持する梁枠が架設される（特開2000-287304号公報）。梁枠は、上弦材、下弦材及び斜材を有するトラス構造の鋼製梁部材からなり、梁枠受け具によって支持される。梁枠受け具は、建枠の角部に配設され、梁枠の荷重を建枠に伝達する。
【０００４】
図５〜図７は、従来の梁枠受け具の構成を概略的に示す斜視図であり、図８は、従来の梁枠受け具の設置工程を概略的に示す断面図である。
【０００５】
梁枠受け具１００は、左右一対の梁枠支受アーム１０１と、アーム１０１を一体的に相互連結する上下の連結部１０２、１０３と、アーム１０１の連結孔１０４に挿通されるＵ形連結具１０５とから構成される。梁枠受け具１００は、図５に示すように建枠Ｆの角部に配置され、仮想線で示す梁枠Ｂの上弦材Ｂ１及び下弦材Ｂ２が、図６に示す如くアーム１０１に受け入れられ、左右のアーム１０１によって支承される。連結部１０２は、建枠Ｆの腕木部分Ｄに支承され、連結部１０３は、建枠Ｆの建地部分Ｃに支承される。図７に示すように、Ｕ形連結具１０５の両端雄螺子部１０６が連結孔１０４に挿通され、ナット等（図示せず）が雄螺子部１０６に螺着される。かくして、梁枠受け具１００が建枠Ｆの角部に設置されるとともに、梁枠Ｂが梁枠受け具１００によって支持される。
【０００６】
図８には、建枠Ｆの建込み工程と、梁枠受け具１００の設置時期との関係が概略的に示されている。下層の建枠Ｆを建込み、仮設通路を形成する床付き布枠Ｇを建枠Ｆの腕木部分Ｄ上に敷設した状態が図８（Ａ）に示されている。この状態では、比較的小径の接続部Ｅが、図８（Ａ）及び図５に示す如く建込Ｆの角部から上方に突出している。梁枠受け具１００は、図５に示す如く、左右の梁枠支受アーム１０１の建地貫通域１１０に接続部Ｅ及び建地部分Ｃを挿通するように接続部Ｅの上方域から降下され、連結部１０２の平板部が、腕木部分Ｄ上に載置される。
【０００７】
梁枠受け具１００は、通常は、図８（Ａ）に示すように建枠Ｆの両側の角部に配置される。図７及び図８（Ａ）には、両側の建地部分Ｃの軸芯間隔αと、両側の建枠角部に配置された連結部１０２の離間距離βとが示されている。離間距離βの範囲内に延在する腕木部分Ｄの領域には、床付き布枠Ｇの係止部が係止される。
【０００８】
図８（Ｂ）及び図８（Ｃ）に示す如く、梁枠Ｂが梁枠支受アーム１０１の支受領域（梁枠収容域）に挿入されるとともに、上層の建枠Ｆ'が、建込まれる。図８（Ｂ）及び図８（Ｃ）において、下層の建枠Ｆの各部と対応する上層の建枠Ｆ'の各部は、対応するダッシュ付き符号（Ｃ'、Ｄ'、Ｅ'、Ｇ'）で指示されている。
【先行技術文献】
【特許文献】
【０００９】
【特許文献１】特開2000-287304号公報
【発明の概要】
【発明が解決しようとする課題】
【００１０】
このような従来の梁枠受け具は、上層の建枠Ｆ'を建込む前に下層の建枠Ｆの角部に設置しなければならず、上層の建枠Ｆ'を建込んだ後の状態では、梁枠受け具を建枠Ｆの角部に設置することができない。これは、梁枠受け具の設置過程において梁枠支受アームの連結部が上層の建枠Ｆ'の建地部分Ｃ'と物理的に干渉するためである。
【００１１】
また、従来の梁枠受け具においては、梁枠受け具を建枠に設置する際にＵ形連結具が下層の建枠Ｆの腕木部分Ｄに物理的に干渉するのを回避すべく、梁枠受け具の本体部分とは別体のＵ形連結具が使用され、Ｕ形連結具は、梁枠受け具を建枠Ｆの角部に位置決めした後に左右のアーム部の連結孔に挿通され、先端螺子部にナット等が螺着される。このため、梁枠受け具を建枠Ｆに取付ける作業工程においてＵ形連結具又はナットを誤って落下し又は逸失し、或いは、梁枠受け具の移設又は移送時にＵ形連結具や、その専用ナット等を紛失する事例又は事態が現実且つ比較的頻繁に生じており、これを確実に防止する対策が望まれる。
【００１２】
本発明は、このような事情に鑑みてなされたものであり、その目的とするところは、上層建枠の建込み後においても下層建枠の角部に設置し得るとともに、係留具の構成部品等の落下、逸失又は紛失等を確実に防止することができる梁枠受け具を提供することにある。
【課題を解決するための手段】
【００１３】
上記目的を達成すべく、本発明は、枠組足場の梁枠を支持する左右の梁枠支受アームと、左右の梁枠支受アームを相互連結する上下の連結部と、建枠の建地部分を仮設通路側から囲み且つ左右の梁枠支受アームを相互連結するアーム係留具とを有し、梁枠の荷重を建枠に伝達するように建枠の角部に配置される梁枠受け具において、
前記連結部は、左右の梁枠支受アームの上部を相互連結するとともに、建枠の腕木部分に支承される第１連結部と、第１連結部の下方で前記アームを相互連結するとともに、建枠の建地部分に支承される第２連結部とを有し、
前記第２連結部は、左右の梁枠支受アームの連結を解放し、建枠の建地部分及び腕木部分を前記アームの間の領域に挿入可能な下方解放領域を形成する連結解放手段を有することを特徴とする梁枠受け具を提供する。
【００１４】
本発明の上記構成によれば、連結解放手段による第２連結部の解放により、下方解放領域を左右の梁枠支受アームの間に形成することができるので、梁枠受け具を上層建枠の建込み後に下層建枠の角部に設置することができる。
【００１５】
好ましくは、上記係留具は、軸線方向に移動可能に各々の梁枠支受アームに挿通される左右のロッド部材と、左右のロッド部材を解放可能に架橋する架橋部材とから構成され、ロッド部材は、該ロッド部材が梁枠支受アームから脱落するのを防止する脱落防止手段を有する。
【００１６】
このような構成によれば、建枠の角部に設置する前に左右のロッド部材の架橋を解放し、梁枠受け具を建枠の角部に設置した後に左右のロッド部材を架橋してＵ形連結手段を形成することができる。また、ロッド部材は、脱落防止手段によって梁枠支受アームに常時係止又は係留されるので、係留具の構成部品等が梁枠支受アームから脱落するのを防止し、これにより、係留具の構成部品等の落下を阻止して現場作業の安全性を向上するとともに、係留具の構成部品等の紛失、逸失又は損失等を確実に防止することができる。
【００１７】
更に好ましくは、架橋部材は、一方のロッド部材の外端部に連結された基端部と、梁枠受け具を建枠の角部に設置した後に他方のロッド部材の外端部に連結される先端部とを有し、ロッド部材及び架橋部材は、ロッド部材の外端部と架橋部材の先端部との連結により、建枠の建地部分を仮設通路側から囲むＵ形連結具として機能する。
【００１８】
好適には、上記第２連結部は、片側の梁枠支受アームに回動可能に支持された可動支承板からなる。可動支承板は、水平位置において左右のアームを架橋する。可動支承板は、梁枠の荷重により建枠の建地部分に押圧され、建地部分の水平反力により支承され、アーム及び建枠の間に挟圧される。従って、梁枠は、第１連結部を下側から支持する腕木部分の鉛直反力と、第２連結部を仮設通路側から支持する建地部の水平反力とによって仮設足場の所定位置に支持される。好適には、第２連結部は、可動支承板を水平位置に保持する位置決め手段を有する。
【００１９】
更に好適には、上記第１連結部は、円形断面の鋼材又は金属製棒材をＵ形に成形又は曲げ加工してなる連結材を有し、該連結材は、腕木部分に着座する。腕木部分に着座する連結材を円形断面の鋼製又は金属製棒材により形成することにより、床付き布枠を係止可能な腕木部分の領域が拡大するので、床付き布枠を比較的容易に腕木部分に敷設することができる。
【発明の効果】
【００２０】
上記連結解放手段を備えた本発明の梁枠受け具によれば、上層建枠の建込み後に梁枠受け具を下層建枠の角部に設置することができる。
【００２１】
また、上記脱落防止手段を備えた本発明の梁枠受け具によれば、係留具の構成部品等の落下、逸失又は紛失等を確実に防止することができる。
【図面の簡単な説明】
【００２２】
【図１】図１は、本発明の好適な実施形態に係る梁枠受け具の斜視図である。
【図２】図２は、本発明に係る梁枠受け具の設置方法を示す斜視図であり、梁枠受け具を下層の建枠の角部に位置決めする過程が示されている。
【図３】図３は、本発明に係る梁枠受け具の設置方法を示す斜視図であり、梁枠受け具を下層の建枠に係止又は係留する過程が示されている。
【図４】図４は、建枠の建込み工程と、本発明に係る梁枠受け具の設置時期との関係を概略的に示す概略断面図である。
【図５】図５は、従来の梁枠受け具の構成を概略的に示す斜視図であり、梁枠受け具を下層の建枠に位置決めする過程が示されている。
【図６】図６は、従来の梁枠受け具の構成を概略的に示す斜視図であり、梁枠受け具を下層の建枠に係止又は係留する過程が示されている。
【図７】図７は、従来の梁枠受け具の構成を概略的に示す斜視図であり、梁枠受け具を下層の建枠に設置した状態が示されている。
【図８】図８は、建枠の建込み工程と、従来の梁枠受け具の設置時期との関係を概略的に示す概略断面図である。
【発明を実施するための形態】
【００２３】
以下、添付図面を参照して、本発明の好適な実施形態について詳細に説明する。
【００２４】
図１は、本発明の好適な実施形態に係る梁枠受け具の斜視図であり、図２及び図３は、梁枠受け具の設置方法を示す斜視図である。
【００２５】
図１に示す如く、梁枠受け具１は、枠組足場の梁枠を支持するための左右の梁枠支受アーム２、３を備えるとともに、左右の梁枠支受アーム２、３を相互連結する上下の連結部４、５及びアーム係留具６を有する。梁枠受け具１の各構成要素は、鋼製又は金属製の部品からなり、所望により亜鉛メッキ等の外装処理が各部品に施される。梁枠受け具１は、図３に示す如く、梁枠Ｂの上弦材Ｂ１及び上弦材Ｂ２をアーム２、３に受入れ、梁枠Ｂを支承する。
【００２６】
左右のアーム２、３は、左右対称の構造を有する。各アーム２、３は、頂部開口形のＵ形断面又は凹状断面に成形された帯状の鋼板又は金属板からなり、梁枠Ｂを収容可能な頂部開口形の梁枠収容域２０、３０を形成する。アーム２、３は、仮設通路側（腕木部分Ｄの側）に配置された内側垂直壁２１、３１と、仮設通路と反対の側に配置された外側垂直壁２２、３２と、垂直壁２１、３１の下端部と垂直壁２２、３２の下端部とを相互連結する底壁２３、３３とを有する。垂直壁２１、３１の頂部は、仮設通路側に直角に屈曲して水平に延出する水平頂板２４、３４に連続する。
【００２７】
梁枠受け具１の上部に配置された連結部４は、円形断面の鋼材又は金属材をＵ形に成形し又は曲げ加工してなる固定連結材４０を有する。固定連結材４０の各端部４１は、溶接等の固着手段により垂直壁２１、３１に固定される。固定連結材４０の湾曲部分は、建地部分Ｃを仮設通路側から受入れる建地貫通域４２を形成する。固定連結材４０は、アーム２、３の上部を相互連結する第１連結部を構成する。
【００２８】
梁枠受け具１の下部に配置された連結部５は、左右の垂直壁２１、３１を架橋する可動支承板５０と、可動支承板５０を回動可能に支持する支持部５１とを有する。連結部５は、第１連結部（連結部４）の下方域においてアーム２、３を解放可能に相互連結する第２連結部を構成する。
【００２９】
支持部５１は、溶接等の固着手段によって垂直壁２１の外面に固定されたナット５２と、ナット５２に螺入した螺子又はボルト等の係止具５３とから構成される。ナット５２は、可動支承板５０に穿設された長孔又はスロット５４内に配置される。支持部５１及びスロット５４は、連結解放手段を構成する。
【００３０】
図１には、水平に配向された可動支承板５０が示されており、可動支承板５０は、基端部及び先端部を垂直壁２１、３１の外面に当接させた状態で左右の垂直壁２１、３１を架橋する。可動支承板５０は、建地部分Ｃ（図２）の外側湾曲面に相補するように湾曲した当接部５５を中央部に有する。ナット５２の上下の平坦面が実質的に水平に配向される。水平且つ直線的に延びるスロット５４の上縁及び下縁が、ナット５２の上下の平坦面に当接し、可動支承板５０の水平位置が固定される。可動支承板５０の先端部の下方変位を考慮し、ナット５２の上下の平坦面を若干傾斜させても良い。
【００３１】
可動支承板５０がナット５２との係合を解くように可動支承板５０を垂直壁２１、３１から離間させると、可動支承板５０は、係止具５３の小径軸部５３ａに遊動状態に支承され、軸部５３を中心に下方に回動する。
【００３２】
アーム係留具６は、アーム２、３に挿通される左右のロッド部材６１、６２と、ロッド部材６１、６２を一体的に架橋する架橋ロッド６３とから構成される。ロッド部材６１、６２の軸部は、垂直壁２１、３１の円形貫通孔２５、３５に挿通され、梁枠収容域２０、３０を水平に横断し、垂直壁２２、３２の円形貫通孔７１に挿通される。ロッド部材６１、６２の先端部には、脱落防止ピン７０が突設される。貫通孔２５、３５は、真円形断面を有するが、貫通孔７１は、真円形断面の一部を溝状に拡張してなる溝部７２を有する。脱落防止ピン７０は、図１に示す如く水平に配向された状態においては、溝部７２を通過することができず、ロッド部材６１、６２の角度９０°の回転により鉛直下方に向いた状態では、溝部７２に整合し、溝部７２を通過することができる。
【００３３】
架橋ロッド６３は、ヘッド部６４及び軸部６３を有し、軸部６３は、外螺子付きの先端部６５と、脱落防止用の突起６６とを備える。円筒状連結部材６７がロッド部材６２の基端部に一体的に固定され、ナット部材６８がロッド部材６２の基端部に固定される。軸部６３は連結部材６７を軸線方向に移動可能に貫通する。ヘッド部６４及び突起６６は、軸部６３の軸方向変位に相応して連結部材６７に係合又は当接し、これにより、架橋ロッド６３が連結部材６７から脱落するのを阻止する
【００３４】
図１に示すように先端部６５がナット部材６８に螺入することにより、架橋ロッド６３及びロッド部材６１、６２は、Ｕ形連結手段を形成する。この状態では、ロッド部材６１、６２の脱落防止ピン７０が水平に配向されるので、脱落防止ピン７０は、溝部７２を通過することができない。従って、ロッド部材６１、６２の先端部を垂直壁２２、３２に係止又は係留した状態が保持される。
【００３５】
図２及び図３には、梁枠受け具１を建枠Ｆの角部に設置する工程が示されている。
【００３６】
先ず、図２（Ａ）に示す如く、先端部６５及びナット部材６８の螺合状態を解放するようにヘッド部６４を回転させ、先端部６５とナット部材６８とを分離する。次いで、図２（Ｂ）に示すようにロッド部材６２を９０°回転させて、ロッド部材６２の脱落防止ピン７０（図１）を溝部７２に整合させるとともに、アーム部３からロッド部材６２を引き抜くようにして、ロッド部材６２の脱落防止ピン７０を垂直壁３２から離脱させる。脱落防止ピン７０は、垂直壁３２の貫通孔７１を通過するが、垂直壁３１の貫通孔３５（図１）を通過せず、従って、ロッド部材６２は、アーム部３から脱落せずに垂直壁３１に係止又は係留される。このようにロッド部材６２をアーム部３から引き出すことにより、アーム部３の梁枠収容域３０が解放される。
【００３７】
更に、図２（Ｃ）に示す如く、ロッド部材６１を９０°回転させ、脱落防止ピン７０を溝部７２に整合させるとともに、アーム部２からロッド部材６２を引き抜くようにして、ロッド部材６１の脱落防止ピン７０を垂直壁２２から離脱させる。脱落防止ピン７０は、垂直壁２２の貫通孔７１を通過するが、垂直壁２１の貫通孔２５（図１）を通過せず、従って、ロッド部材６１は、アーム部２から脱落せずに垂直壁２１に係止又は係留される。このようにロッド部材６１をアーム部３から引き出すことにより、アーム部２の梁枠収容域２０が解放される。
【００３８】
引き続き、可動支承板５０を垂直壁２１、３１から離間させて、可動支承板５０とナット５２との係合を解き、図２（Ｄ）に示す如く、係止具５３の小径軸部５３を中心に可動支承板５０を下方に回動させる。これにより、下方に解放した下方解放領域７が、図２（Ｅ）に示す如く、左右のアーム部２、３の間に形成される。
【００３９】
図２（Ｅ）に示す状態では、連結部４のみがアーム部２、３を架橋するにすぎない。従って、梁枠受け具１は、図２（Ｅ）に示すように、下層の建枠Ｆの建地部分Ｃ及び腕木部分Ｄのみならず、上層の建枠Ｆ'の建地部分Ｃ'を受け入れることができる。
【００４０】
図３（Ａ）には、梁枠受け具１を建枠Ｆの角部に配置した状態が示されている。図３（Ｂ）及び図３（Ｃ）に示すごとく、可動支承板５０は上方に回動される。可動支承板５０は、ナット５２（図１）と係合し、水平位置に配向される。梁枠Ｂの上弦材Ｂ１及び下弦材Ｂ２が、アーム部２、３の梁枠収容域２０、３０に挿入され、アーム部２、３の底壁２３、３３（図１）に載置される。梁枠Ｂの鉛直荷重は、連結部４を介して腕木部分Ｄに載荷される。アーム部２、３の曲げ荷重が作用する可動支承板５０は、建地部分Ｃに支承される。
【００４１】
図３（Ｄ）及び図３（Ｅ）に示すようにロッド部材６１、６２を回転させてロッド部材６１、６２をアーム部２、３に押し込んだ後、ロッド部材６２を回転させ、架橋ロッド６３の先端部６５をナット部材６８に螺入すると、図３（Ｆ）に示す如く、ロッド部材６１、６２及び架橋ロッド６３は、建枠Ｆの建地部分Ｃを仮設通路側から囲み、かくして、梁枠受け具１及び建枠Ｆの相対位置を保持するＵ形連結が形成される。
【００４２】
この状態では、可動支承板５０は、左右の垂直壁２１、３１を架橋するとともに、建地Ｆの建地部分Ｃに当接する。また、固定連結材４０は、建枠Ｆの腕木部分Ｄに載置される。なお、ロッド部材６１、６２は、上弦材Ｂ１及び下弦材Ｂ２の間の空間を貫通する。また、ロッド部材６１、６２の先端部は、脱落防止ピン７０によって垂直壁２１、３１に係止又は係留される。
【００４３】
かくして建枠Ｆの角部に設置された梁枠受け具１においては、梁枠Ｂの荷重は、固定連結材４０を介して建枠Ｆの腕木部分Ｄに作用するとともに、可動支承板５０を介して建枠Ｆの建地部分Ｃに作用する。腕木部分Ｄは、梁枠Ｂの鉛直荷重に抗する鉛直反力を形成し、建枠部分Ｃは、アーム部２、３に作用する曲げ荷重に抗する水平反力を形成し、これにより、梁枠受け具１は、梁枠Ｂを安定支持する。また、可動支承板５０の基端部及び先端部は、ナット５２により回転を規制又は阻止された状態で垂直壁２１、３１の外面と建地部分Ｃとの間に介挿されるとともに、梁枠Ｂの荷重と建地部分Ｃの水平反力とによって挟圧されるので、実質的に垂直壁２１、３１に固定される。
【００４４】
図４は、建枠Ｆ、Ｆ'の建込み工程と、梁枠受け具１の設置時期との関係を概略的に示す概略断面図である。
【００４５】
図４には、下層及び上層の建枠Ｆ、Ｆ'を建込んだ状態が示されており、各層の床付き布枠Ｇ、Ｇ'が仮想線で示されている。連結部５及びアーム係留具６を解放した状態の梁枠受け具１（図２（Ｅ））は、下方解放領域７（図２（Ｅ））を左右のアーム部２、３の間に有するので、上層の建枠Ｆ'を既に建込んだ状態においても、図４（Ａ）及び図４（Ｂ）に示すように下層の建枠Ｆの角部に載置し且つ位置決めすることができる。
【００４６】
梁枠受け具１は、通常は、図４に示すように建枠Ｆの両側の角部に配置される。両側の建地部分Ｃの軸芯間隔αと、両側の建枠角部に配置された連結部４の離間距離βとが、図４及び図３（Ｆ）に示されている。前述の如く、連結部４の固定連結材４０は、円形断面の鋼材又は金属材をＵ形に成形又は曲げ加工した構造のものであるので、両側の連結部４の離間距離βは、従来の梁枠受け具１００の離間距離β（図７及び図８）よりも拡大し、従って、床付き布枠Ｇを係止可能な腕木部分Ｄの領域が拡大する。このため、床付き布枠Ｇを比較的容易に腕木部分Ｄに敷設することができる。
【００４７】
図３（Ｅ）及び図３（Ｆ）に示すようにロッド部材６１、６２及び架橋ロッド６３を組付けてアーム係留具６のＵ形連結手段を仮設通路側から形成することにより、図４（Ｂ）及び図４（Ｃ）に示す如く、梁枠受け具１を建枠Ｆの角部に設置することができる。なお、梁枠Ｂは、図４（Ｂ）及び図４（Ｃ）に示す如く、アーム２、３の梁枠収容域２０、３０に適時挿入され、梁枠受け具１によって支持される。
【００４８】
以上説明したとおり、梁枠受け具１は、連結部５及びアーム係留具６を解放して下方解放領域７（図２（Ｅ））を左右のアーム部２、３の間に形成することができる。このため、梁枠受け具１を下層の建枠Ｆの角部に設置する際、建枠Ｆの腕木部分Ｄ及び建地部分Ｃのみならず、上層の建枠Ｆ'の建枠部分Ｃ'をも梁枠受け具１の下方解放領域７（図２（Ｅ））に収容することができる。従って、梁枠受け具１は、上層の建枠Ｆ'を既に建込んだ状態においても、下層の建枠Ｆの角部に載置し且つ位置決めすることができる。
【００４９】
また、アーム係留具６の構成部品６１〜６８は、脱落防止ピン７０とアーム部２、３との係合により、アーム部２、３に常時係止又は係留され、連結部５を構成する可動支承板５０は、係止具５３によってアーム部２、３に常時係止又は係留される。従って、アーム係留具６及び連結部５の構成部品の落下、逸失、紛失、損失等を確実に防止することができる。
【００５０】
以上、本発明の好適な実施形態について詳細に説明したが、本発明は上記実施形態に限定されるものではなく、特許請求の範囲に記載された本発明の範囲内で種々の変形又は変更が可能である。
【００５１】
例えば、上記実施形態において説明した梁枠支受アーム、連結部及びアーム係留具等の材質、強度、各部構造、各部形状及び各部寸法等は、適宜設計変更することができる。
【００５２】
また、上記実施形態においては、上層建枠の建込み後に梁枠受け具を下層建枠に設置する過程について説明したが、本発明の梁枠受け具を上層建枠の建込み前に下層建枠に設置しても良い。
【産業上の利用可能性】
【００５３】
本発明は、枠組足場の梁枠を支持する梁枠受け具に適用される。本発明によれば、上層建枠の建込み後においても梁枠受け具を下層建枠の角部に設置し得るとともに、係留具の構成部品等の落下、逸失、紛失、損失等を確実に防止することができるので、その実用的効果は、顕著なるものがある。
【符号の説明】
【００５４】
１  梁枠受け具
２、３  梁枠支受アーム
４  連結部（第１連結部）
５  連結部（第２連結部）
６  アーム係留具
７  下方解放領域
２０、３０  梁枠収容域
４０  固定連結材
５０  可動支承板
６１、６２  ロッド部材
６３  架橋ロッド
７０  脱落防止ピン
Ｂ  梁枠
Ｂ１  上弦材
Ｂ２  下弦材
Ｃ、Ｃ'  建地部分
Ｄ、Ｄ'  腕木部分
Ｆ、Ｆ'  建枠
【図１】
2015148098.tif 000003
【図２】
2015148098.tif 000004
【図３】
2015148098.tif 000005
【図４】
2015148098.tif 000006
【図５】
2015148098.tif 000007
【図６】
2015148098.tif 000008
【図７】
2015148098.tif 000009
【図８】
2015148098.tif 000010